(57)【特許請求の範囲】
【請求項１】
一端側をゴミ（Ｗ）の取出部（３）とし他端側をゴミ（Ｗ）の投入部（４）としてそれらの相互間でゴミ（Ｗ）を貯留可能にする容器本体（２）と、前記容器本体（２）の投入部（４）には投入されたゴミ（Ｗ）を容器本体（２）内へ押し込む押し込み装置（１２）とを有したゴミ貯留装置であって、
前記押し込み装置（１２）は、投入されたゴミ（Ｗ）を回転羽根水平軸（２０）まわりの回転により所定高さへ持ち上げる回転羽根（１８）と、この回転羽根（１８）によって所定高さに持ち上げられたゴミ（Ｗ）を、この回転羽根（１８）よりも上方に設けられた揺動羽根水平軸（２３）まわりの揺動によって容器本体（２）内へ押し込む揺動羽根（１９）と、前記回転羽根（１８）を回転させるモータ（２６）と、前記回転羽根（１８）の回転を揺動羽根（１９）の揺動に変換して伝達する４節リンク構造とを備え、
前記押し込み装置（１２）は、前記回転羽根（１８）と揺動羽根（１９）とモータ（２６）と４節リンク構造とを設けたボックス（１７）を有し、
前記４節リンク構造は、前記回転羽根水平軸（２０）の一端部側に設けられかつ回転羽根（１８）と所定の角度関係を固定しつつこの回転羽根（１８）と一体的に回転羽根水平軸（２０）まわりで回転可能となる回転羽根レバー（２１）と、前記揺動羽根水平軸（２３）の一端部側に設けられかつ揺動羽根（１９）と所定の角度関係を固定しつつこの揺動羽根（１９）と一体的に揺動羽根水平軸（２３）の下側で揺動可能となる揺動羽根レバー（２４）と、前記回転羽根レバー（２１）と揺動羽根レバー（２４）とを連結している連結リンク（２５）と、前記ボックス（１７）における回転羽根水平軸（２０）と揺動羽根水平軸（２３）とを結ぶ直線部分とをそれぞれ節とし、
前記直線部分が固定された固定節であり、前記回転羽根レバー（２１）が動力を与えられる原動節であることを特徴とする記載のゴミ貯留装置。
【請求項２】
前記ボックス（１７）には前記回転羽根水平軸（２０）まわりで下向きにカーブを描くように形成された丸底部（１６）が設けられ、前記ボックス（１７）における丸底部（１６）の上方側にはゴミ（Ｗ）の投入口部（１３）が設けられ、
前記投入口部（１３）から丸底部（１６）へ投入されたゴミ（Ｗ）を回転羽根（１８）によって所定高さへ持ち上げることを特徴とする請求項１に記載のゴミ貯留装置。
【請求項３】
前記４節リンク構造は、前記回転羽根（１８）が１／２回転する間に揺動羽根（１９）が片道分揺動し、前記回転羽根（１８）の先端が真下を向くときに揺動羽根（１９）が揺動方向を逆方向に切り替えることを特徴とする請求項１又は２に記載のゴミ貯留装置。
【発明の詳細な説明】
【０００１】
【発明の属する技術分野】
本発明は、ゴミ貯留装置に関するものである。
【０００２】
【従来の技術】
集合住宅、大型店舗、病院などでは、ゴミ収集車１０７が巡回する間の暫時的なゴミＷの貯留を行うために、ゴミ貯留装置１００が設置されていることがある（特開平７−６１５０９号公報等参照。なお段ボール破砕作用等の特殊機能を備えたものとして特開平１０−３２４４０３号公報等も知られている）。
図９にその一例を示すように、この種のゴミ貯留装置１００は、ゴミＷを貯留可能にする容器本体１０１を有したもので、この容器本体１０１の一端側は取出部１０２とされ、他端側は投入部１０３とされている。
【０００３】
多くの場合、容器本体１０１の取出部１０２には出口開閉機構１０４が設けられており、また容器本体１０１の投入部１０３には、人為的なゴミＷの投入を受け付けるための投入口部１０５が設けられている。なお、この投入口部１０５から投入されるゴミＷは、容器本体１０１内に設けられたシュート部１０６を介して容器本体１０１内の所定位置へ導かれる。
また、この容器本体１０１には、取出部１０２からゴミ収集車１０７へ向けてゴミＷを強制的に送り出す送出装置（図示略）が設けられている。
【０００４】
なお、この送出装置には、図示は省略するが、スクリュウ羽根によるネジ送り構造やプッシャー構造などを介して容器本体１０１の内部のゴミＷを取出部１０２へ追い込む方式のものや、容器本体１０１自体を傾かせることによってこの容器本体１０１内のゴミＷを取出部１０２へ吐き出させる方式のものがある。
【０００５】
【発明が解決しようとする課題】
この種のゴミ貯留装置１００では、容器本体１０１の取出部１０２でゴミ収集車１０７に対するゴミＷの受け渡しを行うことが前提となっているので、この取出部１０２のレベルを基準として容器本体１０１が設置されている。
従って、これに伴って投入部１０３の設置レベルが決められることになるが、このようにして決められた投入部１０３の設置レベルは、人がそのままゴミＷを投入するには高すぎるものとなっていた。
【０００６】
そこで従来は、この投入部１０３に向けて昇り台や階段等による嵩上げ部１０８を設けて人が高レベル位置まで登れるようにしていたが、この嵩上げ部１０８に対する上り下りは、高齢者や子供、或いは身体障害者などにとって不便とされることが少なくなかった。
本発明は、上記事情に鑑みてなされたものであって、ゴミの投入がたとえ高齢者や子供、或いは身体障害者などにとっても、容易に行えるようにしたゴミ貯留装置を提供することを目的とする。
【０００７】
【課題を解決するための手段】
前記目的を達成するために、本発明は次の手段を講じた。
即ち、本発明に係るゴミ貯留装置は、一端側をゴミＷの取出部３とし他端側をゴミＷの投入部４としてそれらの相互間でゴミＷを貯留可能にする容器本体２と、前記容器本体２の投入部４には投入されたゴミＷを容器本体２内へ押し込む押し込み装置１２とを有したゴミ貯留装置であって、前記押し込み装置１２は、投入されたゴミＷを回転羽根水平軸２０まわりの回転により所定高さへ持ち上げる回転羽根１８と、この回転羽根１８によって所定高さに持ち上げられたゴミＷを、この回転羽根１８よりも上方に設けられた揺動羽根水平軸２３まわりの揺動によって容器本体２内へ押し込む揺動羽根１９と、前記回転羽根１８を回転させるモータ２６と、前記回転羽根１８の回転を揺動羽根１９の揺動に変換して伝達する４節リンク構造とを備えているものとなっている。
【０００８】
前記押し込み装置１２は、前記回転羽根１８と揺動羽根１９とモータ２６と４節リンク構造とを設けたボックス１７を有し、前記４節リンク構造は、前記回転羽根水平軸２０の一端部側に設けられかつ回転羽根１８と所定の角度関係を固定しつつこの回転羽根１８と一体的に回転羽根水平軸２０まわりで回転可能となる回転羽根レバー２１と、前記揺動羽根水平軸２３の一端部側に設けられかつ揺動羽根１９と所定の角度関係を固定しつつこの揺動羽根１９と一体的に揺動羽根水平軸２３の下側で揺動可能となる揺動羽根レバー２４と、前記回転羽根レバー２１と揺動羽根レバー２４とを連結している連結リンク２５と、前記ボックス１７における回転羽根水平軸２０と揺動羽根水平軸２３とを結ぶ直線部分とをそれぞれ節とし、前記直線部分が固定された固定節であり、前記回転羽根レバー２１が動力を与えられる原動節であるものとすればよい。
【０００９】
そして、前記ボックス１７には前記回転羽根水平軸２０まわりで下向きにカーブを描くように形成された丸底部１６が設けられ、前記ボックス１７における丸底部１６の上方側にはゴミＷの投入口部１３が設けられ、前記投入口部１３から丸底部１６へ投入されたゴミＷを回転羽根１８によって所定高さへ持ち上げるものとする。
前記４節リンク構造は、前記回転羽根１８が１／２回転する間に揺動羽根１９が片道分揺動し、前記回転羽根１８の先端が真下を向くときに揺動羽根１９が揺動方向を逆方向に切り替える。
【００１０】
このようにすることで、このゴミ貯留装置に対するゴミＷの投入が、たとえ高齢者や子供、或いは身体障害者などにとっても、容易に行えるものとなる。
また勿論、嵩上げ部１０８などを製作する必要がなくなるので、このゴミ貯留装置を設置するうえで設置コストの削減が可能であるし、設置後におけるゴミ貯留装置の位置替えも比較的簡単に行えることになる。
さらに、この押し込み装置１２がゴミＷを容器本体２の投入部４まで持ち上げる作用を奏することになるので、この押し込み装置１２自体を容器本体２に対して取り付ける取付高さを、低く（即ち、ゴミＷ投入操作を好適にする高さ）に設定すれはよいことになる。
【００１１】
このような押し込み装置１２は、回転羽根１８と揺動羽根１９との組み合わせ構造を有したものを採用するのが、機構の面でも、また稼働効率の面でも、好適である。
これにより、構造の簡潔化及び省力化が図れる。
【００１２】
【発明の実施の形態】
以下、本発明の実施の形態を、図面に基づき説明する。
図１及び図２は、本発明に係るゴミ貯留装置１の第１実施形態を示している。
このゴミ貯留装置１は、容器本体２を有している。
この容器本体２はその内部にゴミＷを貯留可能にしたもので、一端側（図１左側）が取出部３とされ、他端側（図１右側）が投入部４とされている。
取出部３には、油圧や電動、又は手動によって開閉する出口開閉機構５が設けられている。
【００１３】
また、容器本体２の投入部４には、投入されるゴミＷを所定位置へ導くためのシュート部６が設けられている。
この容器本体２には、取出部３からゴミ収集車１０７へ向けてゴミＷを強制的に送り出すための送出装置７が設けられている。
この送出装置７としては、例えば、容器本体２の内部で、軸方向両端部を取出部３と投入部４とに向けるようにして回転自在に設けられたスクリュウ羽根８（容器本体２の内周面にスパイラル状に沿わせたリボン形のものや、容器本体２内一杯に張り出す翼形のもの等とすればよい）を、その軸中心まわりで回転させるようにしてゴミＷにネジ送り作用を生じさせ、もって取出部３へ追い込む方式のものとすればよい。
【００１４】
従って、容器本体２の取出部３に対し、ゴミ収集車１０７がゴミＷの回収のために到着したときには、出口開閉機構５の開動作動と共にこの送出装置７が作動して、容器本体２内に貯留されたゴミＷをゴミ収集車１０７へと強制的に送り出すようになっている。
容器本体２の投入部４には押し込み装置１２が設けられており、この押し込み装置１２に対して、人為的なゴミＷの投入を受け付ける投入口部１３が設けられている。
【００１５】
この押し込み装置１２は、投入口部１３に対して投入されたゴミＷを容器本体２の投入部４に対する所定高さまで持ち上げ、そのうえでこの投入部４を介して強制的に容器本体２内へ押し込むようにしたものである。
そして、この投入口部１３の設けられる高さＨ（開口内の下縁等とおく）が、容器本体２の据え付けレベルＬに立つ人Ｍの背を基準として、ゴミＷ投入操作が好適となるように高さ設定されている。
すなわち、この高さＨを得るために、容器本体２に対してこの押し込み装置１２を取り付ける取付高さを合わせるようにしたものである。
【００１６】
この高さＨは１ｍ未満とする。好ましくは９０ｃｍ程度とすればよい。
図３乃至図５は、この押し込み装置１２の作動軌跡を説明した動作説明図である。
これら各図から明らかなように、この押し込み装置１２は、回転羽根水平軸２０（回転羽根１８の水平軸２０）まわりでカーブを描くように設けられた丸底部１６を有したボックス１７に対し、そのボックス１７内部に回転羽根１８と揺動羽根１９とが設けられたものとなっている。
【００１７】
回転羽根１８は、ボックス１７における丸底部１６のカーブ中心となる位置で保持された回転羽根水平軸２０により、この回転羽根水平軸２０まわりで回転自在となっている。
この回転羽根１８の羽根形状は、ボックス１７の丸底部１６に投入されたゴミＷを掻き取りしやすくするために、内反り方向にやや彎曲したものとされている。
この回転羽根１８には、回転羽根水平軸２０の一端部側（図２の右側）から、回転羽根１８と所定の角度関係を固定しつつこの回転羽根１８と一体的に回転羽根水平軸２０まわりで回転可能となる回転羽根レバー２１（回転羽根１８のレバー２１）が設けられている。
【００１８】
これに対し、上記した揺動羽根１９は、回転羽根水平軸２０よりも上方で保持された揺動羽根水平軸２３（揺動羽根１９の水平軸２３）により、この揺動羽根水平軸２３の下側で揺動自在となっている。
この揺動羽根１９の羽根形状は、その下端部が揺動時に回転羽根水平軸２０まわりに接触干渉することがないように決められた（図３の（Ｄ）参照）平坦な板状とされている。
この揺動羽根１９には、揺動羽根水平軸２３の一端部側（図２の右側）から、揺動羽根１９と所定の角度関係を固定しつつこの揺動羽根１９と一体的に揺動羽根水平軸２３の下側で揺動可能となる揺動羽根レバー２４（揺動羽根１９のレバー２４）が設けられている。
【００１９】
そして、これら回転羽根レバー２１と揺動羽根レバー２４とが、連結リンク２５を介してリンク接合されている。そして、回転羽根水平軸２０の他端部（図２左側）に対してのみ、モータ２６によって回転駆動が与えられるようになっている。
従って、このモータ２６を作動させると、回転羽根水平軸２０を中心として図３乃至図５中の各時計回り方向へ一方向的に連続回転し、またこれに伴い、揺動羽根１９は揺動羽根水平軸２３を支点として往復揺動を繰り返すようになる。
【００２０】
なお、回転羽根１８の当初の待機位置（停止状態）としては、図３（Ａ）に示すように、その内反り面が投入口部１３の方向へ正対するような起立姿勢とされ、これによって回転羽根１８の下方側となるボックス１７の丸底部１６内に、ゴミＷの投入スペースが確保されていることになる。
またこの時点の揺動羽根１９は、最も容器本体２寄り（図３（Ａ）の左側）に振られた状態となっている。
このようなリンク構造を有した押し込み装置１２では、投入口部１３からボックス１７の丸底部１６内にゴミＷが投入されると、手動スイッチ操作、又はゴミＷ検知信号による自動運転により、モータ２６が作動開始される。
【００２１】
これにより回転羽根１８の回転が開始されると、図３（Ｃ）〜（Ｄ）に示すように、その内反り面とは反対側となる背面（即ち、膨れアール面）が水平方向に沿って平らな状態となるときに、内反り面がゴミＷを捕らえてボックス１７の丸底部１６内へ掻き込みを開始する。
そして、このとき揺動羽根１９は、その下端部が回転羽根１８の背面（膨れアール面）の上方を、図３左方から右方へ向けて通過するようなタイミングで、揺動羽根水平軸２３を支点として揺動する。
【００２２】
このようにして、図４（Ａ）〜（Ｂ）に示すように回転羽根１８が真下を向くようになるときに、揺動羽根１９は揺動方向を逆方向に切り替えるようになる。
すなわち、回転羽根１８が当初の起立姿勢から真下を向く姿勢までの１／２回転をする間に、揺動羽根１９は、一方向分（片道分）の揺動をすることになる。
そして、回転羽根１８が更に回転を続けて、図４（Ｃ）〜（Ｅ）に示すようにその内反り面を上に向けて略水平となることで、ゴミＷを容器本体２へ送り渡すべき高さに持ち上げた状態になる。
【００２３】
このとき揺動羽根１９は、回転羽根１８の内反り面の上方を図４右方から左方へ向けて通過することとなっている。
そのため、回転羽根１８によって持ち上げられているゴミＷは、図５（Ａ）〜（Ｄ）に示すように、この揺動羽根１９により、容器本体２内へと押し込まれることになる。
この間、回転羽根１８は回転を続けて、当初の待機位置（起立姿勢）へと戻ってゆく。
【００２４】
以後、ゴミＷが投入口部１３から投入されるたび、又はボックス１７の丸底部１６内に所定量のゴミＷが溜まるたびに、上記動作が繰り返される。
図６乃至図８は、本発明に係るゴミ貯留装置１の第２実施形態を示している。
この第２実施形態のゴミ貯留装置１が上記第１実施形態と最も異なるところは、容器本体２の投入部４に対し、押し込み装置１２と共に移送装置３０が設けられ、この移送装置３０を介して投入口部１３が設けられている点にある。
この移送装置３０が設けられているため、容器本体２の設置位置や設置向き、設置スペースに影響されることなく、投入口部１３を設けることができるものとなっている。
【００２５】
すなわち、第１実施形態のゴミ貯留装置１（図１参照）において出口開閉機構５と投入口部１３との間に必要とされる寸法に比して、設置スペースが十分に確保できない場合や、建物側の事情によって投入口部１３を設けることができない場合などに、この第２実施形態のゴミ貯留装置１を好適に使用できるものである。
この第２実施形態のゴミ貯留装置１において、容器本体２の一端側（図６左側）が取出部３、他端側（図６右側）が投入部４とされ、それらに挟まれる配置で送出装置７が設けられている点は、第１実施形態の場合と同じである。また、取出部３に出口開閉機構５が設けられ、投入部４に押し込み装置１２が設けられている点も、第１実施形態の場合と同じとしてある。
【００２６】
上記した移送装置３０は、押し込み装置１２に設けられる回転羽根水平軸２０が一体又は別体の連結構造によりその軸方向に沿って延長されており、この回転羽根水平軸２０の延長部分まわりに螺旋翼３２が設けられると共に、この螺旋翼３２まわりが円筒形をした送り胴３３によって囲まれていることによって、いわゆるスクリュウコンベアとして構成されている。
送り胴３３には、押し込み装置１２側とは反対側となる端部にホッパー部３５が設けられ、このホッパー部３５が建物側に設けられる開口３６へ嵌り込むようになされ、この部分に投入口部１３が設けられている。
【００２７】
この投入口部１３が設けられる高さＨ（開口内の下縁等とおく）が、容器本体２の据え付けレベルＬに立つ人Ｍの背を基準として、ゴミＷ投入操作が好適となるように高さ設定されている点は、第１実施形態の場合と同じである。
本第２実施形態において、移送装置３０の駆動は、押し込み装置１２の回転羽根水平軸２０を回転駆動させるためのモータ２６により一緒に行われる構造としてある。これにより、移送装置３０と押し込み装置１２とが必然的に同期しつつ連動可能になっている。
【００２８】
ただ、このことは限定されるものではなく、回転羽根水平軸２０を移送装置３０と押し込み装置１２とで別体且つ分離した構造とし、これらをそれぞれ各別のモータ２６で回転駆動させるようにしてもよい。
また本第２実施形態において移送装置３０は、押し込み装置１２の回転羽根水平軸２０に対してその延長方向へ延びる横送り装置として採用したものを示したが、回転羽根水平軸２０と交差する方向へ延びる斜め送り装置或いは縦送り装置として採用することも可能である。
【００２９】
移送装置３０は、その送り方向に対して多少の勾配を持たせたものとして構成させることも可能である。これにより、押し込み装置１２を省略することも可能になる。
更にこの移送装置３０は、ベルトコンベア等として構成されたものを採用することも可能である。
ところで、本発明は、上記した各実施形態に限定されるものではなく、実施の形態に応じて適宜変更可能である。
【００３０】
例えば、送出装置７としては、図示は省略するがプッシャー構造等によって内部に貯留したゴミＷを取出部３へ追い込む方式としたり、容器本体２自体を傾かせることで内部に貯留したゴミＷを取出部３へ吐き出させる方式としたり、或いは更に別の適宜方式としたりすることが可能である。
押し込み装置１２も同様であり、図示は省略するがプッシャー構造等によって投入されたゴミＷを容器本体２へ追い込む方式としたり、ボックス１７自体又はその内部に設けるブルドーザ型バケットを傾かせることで投入されたゴミＷを容器本体２へ吐き出させる方式としたり、或いは更に別の適宜方式としたりすることが可能である。
【００３１】
出口開閉機構５やシュート部６は必須不可欠なものではない。
【００３２】
【発明の効果】
以上の説明から明らかなように、本発明に係るゴミ貯留装置では、ゴミの投入がたとえ高齢者や子供、或いは身体障害者などにとっても、容易に行えるようになった。
【図面の簡単な説明】
【図１】  本発明に係るゴミ貯留装置の第１実施形態を示す側面図である。
【図２】  図１に対応する右側面図である。
【図３】  押し込み装置の動作説明図である。
【図４】  図３に続く押し込み装置の動作説明図である。
【図５】  図４に続く押し込み装置の動作説明図である。
【図６】  本発明に係るゴミ貯留装置の第２実施形態を示す側面図である。
【図７】  図６に対応する平面図である。
【図８】  図６に対応する右側面図である。
【図９】  従来のゴミ貯留装置の一例を示す側面図である。
【符号の説明】
１    ゴミ貯留装置
２    容器本体
３    取出部
４    投入部
７    送出装置
１２    押し込み装置
１３    投入口部
１８    回転羽根
１９    揺動羽根
２０    回転羽根水平軸
２３    揺動羽根水平軸
２５    連結リンク
２６    モータ
１０７    ゴミ収集車
Ｗ    ゴミ
Ｌ    据え付けレベル
Ｍ    人
Ｈ    投入口部の高さ
【図１】
0004134305.tif 000002
【図２】
0004134305.tif 000003
【図３】
0004134305.tif 000004
【図４】
0004134305.tif 000005
【図５】
0004134305.tif 000006
【図６】
0004134305.tif 000007
【図７】
0004134305.tif 000008
【図８】
0004134305.tif 000009
【図９】
0004134305.tif 000010